(57)【要約】【課題】  ポケット部を１個乃至複数個含むセクションに分割した際に、このセクションの平面方向の上下左右を確実に区別することができ、セクションに設けられた薬剤識別手段を、視覚障害者がその方向を誤ることなく識別可能なＰＴＰを提供する。【解決手段】  錠剤Ｔを収容するポケット部２２を設けた可撓性シート２０と、錠剤Ｔを収容したポケット部２２を密閉するよう、前記可撓性シート２０に貼着されてなる金属シート７０からなり、分割線２１によりポケット部２２を複数個含むセクション３０に分割可能なＰＴＰ１０のポケット部２２の天面２２ａに薬剤識別手段としての凹凸Ｂ５０を設け、分割後のセクション３０が全て同じ形状になるよう、側面１１の分割線２１上に円弧４０を設ける。【選択図】図１
2005027987.tif 000002
【特許請求の範囲】
【請求項１】
薬剤を収容可能なポケット部を設けた可撓性シートと、薬剤を収容した前記ポケット部を密閉するよう貼着されてなる金属シートから構成され、分割線により前記ポケット部を１個乃至複数個含むセクションに分割可能なＰＴＰであって、
分割された前記セクションの平面の方向を触覚により特定可能な方向特定手段と、
前記薬剤に関する情報を触覚により識別可能な薬剤識別手段をセクションごとに備えてなるＰＴＰ。
【請求項２】
方向特定手段が、分割線上に設けられた切り欠き及び／又はＰＴＰの表面に設けられた凹凸Ａである請求項１記載のＰＴＰ。
【請求項３】
薬剤識別手段が、方向特定手段とは別の箇所に設けられた凹凸Ｂである請求項１又は２に記載のＰＴＰ。
【請求項４】
凹凸Ｂが、ポケット部の天面に設けられた請求項３記載のＰＴＰ。
【請求項５】
分割後のセクションが全て同じ形状となる請求項１〜４の何れかに記載のＰＴＰ。
【発明の詳細な説明】
【技術分野】
【０００１】
本発明は、ＰＴＰに関するものである。更に詳しくは視覚障害者用ＰＴＰに関するものである。
【背景技術】
【０００２】
錠剤、カプセル剤といった固形製剤を収容する容器としては、ＰＴＰ（プレス・スルー・パッケージ）が一般的に知られている。図４に示す従来のＰＴＰ３１０は、錠剤Ｔを収容可能なポケット部３２２を設けた可撓性シート３２０と、ポケット部３２２に収容された錠剤Ｔを密閉するよう、前記可撓性シート３２０に貼着されてなる金属シート３７０から構成されており、所望によりポケット部３２２を１個乃至複数個含むセクション３３０に分割可能になっている。
【０００３】
そしてＰＴＰには、製品名（和文・欧文）、用法、用量、資源有効利用促進法に基づく識別マーク（例えば、プラマーク）等の必須記載事項の表示が定められており、これらの表示は金属シートへの印刷により行われていることが多い。しかし、金属シートの印字スペースは記載事項に比して狭く限られている。また、光によって安定性が損なわれる固形製剤を収容する場合、遮光性を持たせるため可撓性シートは着色しているため、可撓性シート側からは内部に収容されている固形製剤に刻印又は印字されている識別番号や色等、及び金属シートの印字が見えにくいおそれがある。そのため、従来のＰＴＰでは視覚障害者が内部に収容された固形製剤の種類を識別できないという問題があった。また、視覚障害者でなくとも、遮光性を有するＰＴＰの場合に内部に収容された固形製剤の種類を識別しにくいという問題があった。
【０００４】
そこで、ＰＴＰの表面に、触覚により識別可能な凹凸を設け、この凹凸により内部に収容した薬物の薬効分類や用法用量を表示させるという発明がなされている（特許文献１参照）。特許文献１の発明によれば、視覚障害者であっても、ＰＴＰ表面の凹凸を手指等の触覚で認識し、収容された薬剤の種類や用法、用量を識別することが可能とある。
【０００５】
【特許文献１】特開平６−１９００２０号公報
【発明の開示】
【発明が解決しようとする課題】
【０００６】
しかしながら特許文献１の発明は、凹凸図形が「○（円）」のように方向性を有さない図形であれば問題ないが、点字や「△（三角形）」、「＋（四叉）」、「−（一文字）」等の如く方向性を有する場合には、セクションに分割したときに凹凸図形の平面方向の上下左右の区別がつかないおそれがある。例えば、特許文献１、第４頁、表１の（２）に示された狭心剤を表す記号を９０°回転させると（３）に示された消炎鎮痛剤を表す記号と同じになる。このような場合、視覚障害者はＰＴＰに収容された薬剤の種類の判読を誤り、間違った薬を服用してしまうおそれがある。
【０００７】
すなわち本発明が解決しようとする課題は、ポケット部を１個乃至複数個含むセクションに分割したときでも、このセクションの平面方向の上下左右を確実に区別することができ、セクションに設けられた薬剤識別手段を、視覚障害者がその方向を誤ることなく識別可能なＰＴＰを提供することにある。
【課題を解決するための手段】
【０００８】
そこで、本発明者は前記した課題を解決すべく鋭意研究を重ねた結果、本発明に想到した。すなわち本発明は、
（１）  薬剤を収容可能なポケット部を設けた可撓性シートと、薬剤を収容した前記ポケット部を密閉するよう貼着されてなる金属シートから構成され、分割線により前記ポケット部を１個乃至複数個含むセクションに分割可能なＰＴＰであって、
分割された前記セクションの平面の方向を触覚により特定可能な方向特定手段と、
前記薬剤に関する情報を触覚により識別可能な薬剤識別手段をセクションごとに備えてなるＰＴＰ。
（２）  方向特定手段が、分割線上に設けられた切り欠き及び／又はＰＴＰの表面に設けられた凹凸Ａである前記（１）記載のＰＴＰ。
（３）  薬剤識別手段が、方向特定手段とは別の箇所に設けられた凹凸Ｂである前記（１）又は（２）に記載のＰＴＰ。
（４）  凹凸Ｂが、ポケット部天面に設けられた前記（３）記載のＰＴＰ。
（５）  分割後のセクションが全て同じ形状となる前記（１）〜（４）の何れかに記載のＰＴＰ；等に関する。
【発明の効果】
【０００９】
本発明によれば、薬剤を収容したＰＴＰを、ポケット部を１個乃至複数個含むセクションに分割した際にも、このセクションの平面方向の上下左右を確実に区別することができ、ポケット部の天面に設けられた薬剤識別手段を、その方向を誤ることなく判読可能することができる。そして、患者が薬剤を押し出す際には必ずポケット部の天面を押すため、薬剤識別手段により収容された薬剤の種類や、用法、用量を事前に識別することが、誤薬投与を予防することができる。
【００１０】
また、視覚障害者でなくとも、この薬剤識別手段を判読することにより、遮光性ＰＴＰの金属シートに印字された識別情報が視覚により判読しにくい場合であっても、収容された薬剤の種類や用法、用量を識別することが可能となる。これにより、医療従事者や患者等の調剤時、投薬時、服用時における過誤を予防することができる。
【発明を実施するための最良の形態】
【００１１】
次に、本発明の実施例を図面に基づいて説明する。
図１は、実施例１を示す図である。図１の（ａ）はＰＴＰの平面図を、図１の（ｂ）はＡ−Ａ線部分矢視断面図を、図１の（ｃ）はセクションの平面図をそれぞれ示す。一のセクションは２個のポケット部を含み、方向特定手段はＰＴＰの側面の分割線上に設けられている。
図２は、実施例２を示す図である。図２の（ａ）はＰＴＰの平面図を、図２の（ｂ）はＢ−Ｂ線部分矢視断面図を、図２の（ｃ）はセクションの平面図をそれぞれ示す。一のセクションは１個のポケット部を含み、方向特定手段は分割線の交点上に設けられている。
図３は、実施例３を示す図である。図３の（ａ）はＰＴＰの平面図を、図３の（ｂ）はＣ−Ｃ線部分矢視断面図を、図３の（ｃ）及び（ｄ）はセクションの平面図をそれぞれ示す。一のセクションは２個のポケット部を含み、方向特定手段はセクションに設けられたエンボスである。
図４は、本発明の従来技術を示す図である。図４の（ａ）は平面図を、図４の（ｂ）は背面図を、図４の（ｃ）はＤ−Ｄ線部分矢視断面図を、図４の（ｄ）はセクションの平面図をそれぞれ示す。
【００１２】
図１〜５に示すＰＴＰはいずれも、錠剤Ｔを収容するポケット部２２、１２２、２２２、３２２を設けた可撓性シート２０、１２０、２２０、３２０と、錠剤Ｔを収容したポケット部２２、１２２、２２２、３２２を密閉するよう、前記可撓性シート２０、１２０、２２０、３２０に貼着されてなる金属シート７０、１７０、２７０、３７０からなり、分割線２１、１２１、２２１、３２１によりポケット部２２、１２２、２２２、３２２を１個乃至複数個含むセクション３０、１３０、２３０、３３０に分割可能な点において、その構成の軌を一にしている。相違点は、方向特定手段及び薬剤識別手段の有無、又はそれらの構造である。
【００１３】
可撓性シート２０、１２０、２２０、３２０と金属シート７０、１７０、２７０、３７０の貼着方法としては溶着、圧着等が好適に採用されるが、気密かつ剥離不能に貼着されていれば特に限定されない。また分割線２１、１２１、２２１、３２１としては、ミシン目や凹条が好適に採用されるが、分割又は破断可能であれば、その構成は特に限定されない。
【００１４】
セクションに含まれるポケット部の数は、近年１個であるのが一般的であったが、最近２個以上となっているものがある。これは、ポケット部を１個のみ含むセクションに分割した場合このセクションから錠剤を取り出すのを失念し、そのままセクションを飲み込んでしまい、消化管を傷つけてしまうおそれがあるからである。
【００１５】
可撓性シート２０、１２０、２２０、３２０の材質としては、ポリエチレン、ポリプロピレン、ポリエチレンテレフタレート、ポリエチレンテレナフタレート、ポリビニルアルコール、エチレンビニルアルコール共重合体、ポリ塩化ビニリデン、ナイロン等、あるいはこれらの混合物、あるいはこれらが積層されたものが挙げられるが、ＰＴＰ用の可撓性シートの形成材料として使用実績のあるものであれば特に限定されない。
【００１６】
金属シート７０、１７０、２７０、３７０の材質としては、アルミが最も好適に採用されるがＰＴＰ用の金属シートとして使用実績のあるものであれば特に限定されない。
【実施例１】
【００１７】
図１に示す実施例１のＰＴＰ１０は、分割線２１によりポケット部２２を２個含むセクション３０に分割可能になっており、方向特定手段は、ＰＴＰ１０の側面１１の分割線２１上の切り欠きとして形成された円弧４０となっている。円弧４０は、ＰＴＰの四隅の円弧と同じ半径にしていることが好ましい。ここで、方向特定手段は、分割後のセクション３０の形状が全て同じになるように設けることが好ましい。実施例１の分割後のセクション３０はいずれも、円弧４０を両端に含む辺３１を有する略矩形状となる。
【００１８】
そして、錠剤Ｔの種類を示す凹凸Ｂ５０がポケット部２２の天面２２ａに設けられている。凹凸Ｂ５０として、ここでは「二重ヤマ」の図形を採用しているが、如何なる図形であっても差し支えなく、勿論点字であってもよい。凹凸Ｂ５０は、ポケット部２２を形成する際に成形してもよいし、ポケット部２２を形成した後付設してもよい。後から付設する場合には可撓性シートの厚さが凹凸部５０の部分で薄くなるようなことはないので、内部に収容された錠剤Ｔの安定性がそこなわれるおそれが少なくなる。
【００１９】
そして、セクション３０の円弧４０を両端に有する辺３１を上と規定しておけば凹凸Ｂ５０の上も自ずと定まり、実施例１の凹凸Ｂ５０の場合、二重ヤマの頂点が常に上、開放した側が常に下と認識される。従って、同じ二重ヤマの図形であっても、上下を逆にすることにより凹凸Ｂ５０が表す薬剤とは異なった種類の薬剤を表す薬剤識別手段として採用できる。
【実施例２】
【００２０】
図２に示す実施例２のＰＴＰ１１０は、分割線１２１によりポケット部１２２を１個含むセクション１３０に分割可能になっており、方向特定手段は、ＰＴＰ１１０の分割線１２１の交点上に切り欠きとして形成された円弧１４０となっている。円弧１４０は、ＰＴＰの四隅の円弧と同じ半径にしていることが好ましい。ここで、方向特定手段は、分割後のセクション１３０の形状が全て同じになるように設けることが好ましい。実施例２の分割後のセクション１３０はいずれも、円弧１４０を、四隅のいずれか一箇所に有する略正方形状となる。
【００２１】
そして、錠剤Ｔの種類を示す凹凸Ｂ１５０がポケット部１２２の天面１２２ａに設けられている。凹凸Ｂ１５０として、ここでは「二重ヤマ」の図形を採用しているが、如何なる図形であっても差し支えなく、勿論点字であってもよい。凹凸Ｂ１５０は、ポケット部１２２を形成する際に成形してもよいし、ポケット部１２２を形成した後付設してもよい。後から付設する場合には可撓性シートの厚さが凹凸部１５０の部分で薄くなるようなことはないので、内部に収容された錠剤Ｔの安定性がそこなわれるおそれが少なくなる。
【００２２】
そして、セクション１３０の円弧１４０を上と規定しておけば凹凸Ｂ１５０の上も自ずと定まり、実施例１の凹凸Ｂ１５０の場合、二重ヤマの頂点が常に上、開放した側が常に下と認識される。従って、同じ二重ヤマの図形であっても、上下を逆にすることにより凹凸Ｂ１５０が表す薬剤とは異なった種類の薬剤を表す薬剤識別手段として採用できる。
【実施例３】
【００２３】
図３に示す実施例３のＰＴＰ２１０は、分割線２２１によりポケット部２２２を２個含むセクション２３０、２３０′に分割可能になっており、方向特定手段は、ＰＴＰ２１０の表面に設けられた凹凸Ａ１６０（ここではエンボスを採用している。）となっている。実施例３の分割後のセクション２３０、２３０′は、凹凸Ａ２６０を設けた辺２３１を有する略矩形状となる。なお、実施例３は実施例１及び実施例２と異なり分割後のセクションの形状は全て同じである必要はなく、セクション２３０、２３０′のように異なった平面形状であってもよい。なぜなら、セクションの平面形状によって方向を特定するわけではないからである。
【００２４】
そして、錠剤Ｔの種類を示す凹凸Ｂ２５０がポケット部２２２の天面２２２ａに設けられている。ここでは、凹凸Ｂ２５０として「二重ヤマ」の図形を採用しているが、如何なる図形であっても差し支えなく、勿論点字であってもよい。凹凸Ｂ２５０は、ポケット部２２２を形成する際に成形してもよいし、ポケット部２２２を形成した後付設してもよい。後から付設する場合には可撓性シートの厚さが凹凸部２５０の部分で薄くなるようなことはないので、内部に収容された錠剤Ｔの安定性がそこなわれるおそれが少なくなる。
【００２５】
そして、セクション２３０の凹凸Ａ２６０を有する辺を上と規定しておけば凹凸Ｂ２５０の上も自ずと定まり、実施例３の凹凸Ｂ２５０の場合、二重ヤマの頂点が常に上、開放した側が常に下と認識される。従って、同じ二重ヤマの図形であっても、上下を逆にすることにより凹凸Ｂ２５０が表す薬剤とは異なった種類の薬剤を表す薬剤識別手段として採用できる。
【００２６】
なお、方向特定手段としては、凹凸Ａと切り欠きを両方兼ね備えていてもよい。これにより、セクションの方向の特定が一層容易になる。
【図面の簡単な説明】
【００２７】
【図１】本発明の実施例１を示す図である。
【図２】本発明の実施例２を示す図である。
【図３】本発明の実施例３を示す図である。
【図４】本発明の従来技術を示す図である。
【符号の説明】
【００２８】
１０、１１０、２１０、３１０    ＰＴＰ
２０、１２０、２２０、３２０    可撓性シート
２１、１２１、２２１、３２１    分割線
２２、１２２、２２２、３２２    ポケット部
２２ａ、１２２ａ、２２２ａ    ポケット部の天面
２６０    凹凸Ａ
３０、１３０、２３０、３３０    セクション
４０、１４０    円弧
５０、１５０、２５０    凹凸Ｂ
７０、１７０、２７０、３７０    金属シート
Ｔ  錠剤
【図１】
2005027987.tif 000003
【図２】
2005027987.tif 000004
【図３】
2005027987.tif 000005
【図４】
2005027987.tif 000006